(57)【要約】【課題】従来、タッチパネル操作する装置では操作用の各画面をキー単位で設定をしており、煩わしく工数も要する。又、各処理モード内の操作画面の切替がキー表示域全体を表示し直しており、表示変更領域が多く表示切替時間が長い。【解決手段】操作に必要な個々のキーを機能種類でグループ化し、キー全体がが割り当てられた表示ブロックに収まらないグループは複数グループに再分割し他グループへの切替キーを追加し、それぞれキーＧＲＰ（グループ）とし、キーＧＲＰ毎の属性情報とし表示座標、サイズと、メンバーの各キーの表示データ、表示のＧＲＰ内座標、機能属性を保持するキーＧＲＰマスタ記憶１６と、各処理モードのキー表示域の初期構成をキーＧＲＰ識別で定義した画面マスタ記憶１５、これや選択されたキーの機能属性が指定するキーＧＲＰ識別で、その属性情報をキーＧＲＰマスタ記憶１６より取得し表示する表示処理手段１２とを有する。【選択図】      図１２
2004206368.tif 000002
【特許請求の範囲】
【請求項１】
端末装置や処理装置でタッチパネルを通じ選択されるキーを表示する操作画面の表示方式であって、
操作に必要な個々のキーを機能種類別にグループ化し、キー全体がその機能種類に割り当てられる表示ブロックに収まらないグループがあれば、それを更に同種類の複数のグループに再分割し、同種類の他グループへの切替キーを追加し、再分割しない各グループ、前記再分割した各グループのそれぞれをキーグループとし、キーグループ毎に属性情報として表示座標、サイズと、メンバーである各キーについての表示データ、表示のグループ内座標、機能属性を保持するキーグループマスタ記憶と、
キーグループ識別情報に従って、対応する属性情報をキーグループマスタ記憶より取得しキー表示域に表示する表示処理手段とを有することを特徴とする操作画面の表示方式。
【請求項２】
前記キーグループマスタ記憶の他に、前記端末装置や処理装置の各処理モード画面について、キー表示域の初期の画面構成を前記キーグループ識別で定義した画面マスタ記憶も有し、
前記表示処理手段が、画面切替指示の際に指定される画面識別で前記画面マスタ記憶より複数のキーグループ識別を取得し、これらの属性情報をキーグループマスタ記憶より取得し、これらに従ってキー表示域の表示情報を組み立て表示し、キーグループ属性情報群を表示中の情報に対応した情報として保持し、タッチパネル上の選択された座標情報より、前記属性情報群を用いキーグループ、キー識別を判定し、そのキーの機能属性がキーグループ識別であれば、キーグループマスタ記憶より該当するキーグループ属性情報を取得し、それに従ってキー表示域の表示を更新する手段とを有することを特徴とする請求項１記載の操作画面の表示方式。
【請求項３】
前記キーグループマスタ記憶において、機能が同種類のキーグループ同士では、属性情報の表示座標、サイズを互いに合わせ、各グループのキーグループ切り替えキーの機能属性情報を同種類の他キーグループの識別とし、
前記表示処理手段が、各処理モードに於けるキー表示域の切替をキーグループ単位とすると共に、キー表示域の内、対応ブロックのみを同種類の別のキーグループに切り換えることを特徴とする請求項２記載の操作画面の表示方式。
【請求項４】
任意の一つ以上のキーグループを指定したキーグループのセットをセット識別を付与し保持するキーグループセットマスタ記憶も有し、
前記キーの機能属性としてキーグループセット識別も設定可能とし、
前記表示処理手段が、選択操作されたキーの機能属性がキーグループセット識別であれば、それでキーグループセットマスタ記憶を参照し、セットメンバーのキーグループ識別を取得し、これらの属性情報をキーグループマスタ記憶より取得し、それらによる表示の切り替えを行う手段も有することを特徴とする請求項１、２、又は３記載の操作画面の表示方式。
【請求項５】
前記キーグループマスタ記憶において、機能が同種類のキーグループ及びその種類のキーグループをメンバーとするキーグループセットでは、セットメンバになっていないキーグループやセットメンバであり表示位置が最初のキーグループ間で、表示座標を互いに合わせ、前記セットメンバでないキーグループのサイズや前記セットメンバで合成されるサイズを互いに合わせ、各グループのキーグループ切り替えキーの機能属性情報を同種類の他キーグループ或いは前記キーグループセットとし、
前記表示処理手段が、キー表示域の表示切替で前記種類にアサインされた表示ブロックのみを同種類の別のキーグループ或いはこれらのセットに切り替えることを特徴とする請求項４記載の操作画面の表示方式。
【請求項６】
タッチパネルを通じ選択されるキーを表示する操作画面の表示プログラムであって、
操作に必要な個々のキーを機能種類別にグループ化し、キー全体がその機能種類に割り当てられる表示ブロックに収まらないグループがあれば、それを更に同種類の複数のグループに再分割し、同種類の他グループへの切替キーを追加し、再分割しない各グループ、前記再分割した各グループのそれぞれをキーグループとし、キーグループ毎に属性情報として表示座標、サイズと、メンバーである各キーについての表示データ、表示のグループ内座標、機能属性を保持するキーグループマスタ記憶より、キーグループ識別情報に従って、対応する属性情報を取得し画面のキー表示域に表示する表示処理手順を有することを特徴とする操作画面の表示プログラム。
【請求項７】
前記表示処理手順が、各処理モード画面のキー表示域の初期構成を前記キーグループ識別で定義した画面マスタ記憶を、画面切替指示の際に指定される画面識別で索引し複数のキーグループ識別を取得する手順と、これらの属性情報をキーグループマスタ記憶より取得し、これらに従ってキー表示域の表示情報を組み立て表示し、前記取得したキーグループ属性情報群を表示中の情報に対応した情報として保持する手順と、タッチパネル上の選択された座標情報より、前記属性情報群を用いキーグループ、キー識別を判定し、そのキーの機能属性がキーグループ識別か判定する手順と、該判定がなされるとキーグループマスタ記憶より該当するキーグループ属性情報を取得し、それに従ってキー表示域の表示を更新する手順とを有することを特徴とする請求項６記載の操作画面の表示プログラム。
【請求項８】
前記キーの機能属性として、任意の一つ以上のキーグループのセット情報に付与されたキーグループセット識別も設定可能とし、
前記表示処理手順が、前記座標情報対応のキーグループ、キー識別を判定し、そのキーの機能属性が、キーグループのセットを定義したキーグループセット識別か判定する手順と、該判定がなされるとキーグループセット識別でキーグループセット記憶を参照し、セットメンバーのキーグループ識別を取得し、これらの属性情報をキーグループマスタ記憶より取得し、それらに従って表示の切り替えを行う手順も有することを特徴とする請求項６、又は７記載の操作画面の表示プログラム。
【請求項９】
画面上のキーをタッチパネルを通じ選択し、操作するＰＯＳ装置であって、
操作に必要な個々のキーを機能種類別にグループ化し、キー全体がその機能種類に割り当てられる表示ブロックに収まらないグループがあれば、それを更に同種類の複数のグループに再分割し、同種類の他グループへの切替キーを追加し、再分割しない各グループ、前記再分割した各グループのそれぞれをキーグループとし、キーグループ毎に属性情報として表示座標、サイズと、メンバーである各キーについての表示データ、表示のグループ内座標、機能属性を保持するキーグループマスタ記憶と、
キーグループ識別情報に従って、対応する属性情報をキーグループマスタ記憶より取得しキー表示域に表示する表示処理手段とを有することを特徴とするＰＯＳ装置。
【請求項１０】
前記キーグループマスタ記憶の他に、ＰＯＳ装置の各処理モード画面について、キー表示域の初期の画面構成を前記キーグループ識別で定義した画面マスタ記憶も有し、
前記表示処理手段が、画面切替指示の際に指定される画面識別で前記画面マスタ記憶より複数のキーグループ識別を取得し、これらの属性情報をキーグループマスタ記憶より取得し、これらに従ってキー表示域の表示情報を組み立て表示し、キーグループ属性情報群を表示中の情報に対応した情報として保持し、タッチパネル上の選択された座標情報より、前記属性情報群を用いキーグループ、キー識別を判定し、そのキーの機能属性がキーグループ識別であれば、キーグループマスタ記憶より該当するキーグループ属性情報を取得し、それに従ってキー表示域の表示を更新する手段とを有することを特徴とする請求項９記載のＰＯＳ装置。
【請求項１１】
前記キーグループマスタ記憶において機能が同種類のキーグループ同士では、属性情報の表示座標、サイズを互いに合わせておき、各グループのキーグループ切り替えキーの機能属性情報を同種類の他キーグループの識別とし、前記表示処理手段が、各処理モードに於けるキー表示域の切替をキーグループ単位とすると共に、キー表示域の内、対応ブロックのみを同種類の別のキーグループに切り換えることを特徴とする請求項１０記載のＰＯＳ装置。
【請求項１２】
任意の一つ以上のキーグループを指定したキーグループセットをセット識別を付与し保持するキーグループセットマスタ記憶も有し、前記キーの機能属性としてキーグループセット識別も設定可能とし、前記表示処理手段が、選択操作されたキーの機能属性がキーグループセット識別であれば、それでキーグループセットマスタ記憶を参照し、セットメンバーのキーグループ識別を取得し、これらの属性情報をキーグループマスタ記憶より取得し、それらに従って表示の切り替えを行う手段も有することを特徴とする請求項９、１０、又は１１記載のＰＯＳ装置。
【請求項１３】
前記キーグループマスタ記憶において、機能が同種類のキーグループ及びその種類のキーグループをメンバーとするキーグループセットでは、セットメンバになっていないキーグループやセットメンバであり表示位置が最初のキーグループ間で、表示座標を互いに合わせ、前記セットメンバでないキーグループのサイズや前記セットメンバで合成されるサイズを互いに合わせ、各グループのキーグループ切り替えキーの機能属性情報を同種類の他キーグループ或いは前記キーグループセットとし、
前記表示処理手段が、キー表示域の表示切替で前記種類にアサインされた表示ブロックのみを同種類の別のキーグループ或いはこれらのセットに切り替えることを特徴とする請求項１２記載のＰＯＳ装置。
【請求項１４】
画面上のキーをタッチパネルを通じ選択し操作するＰＯＳ装置であって、
売上操作を行うための個々のキーを、値引き、返品を含む個別処理選択のキーグーループと、小計、会計を含む会計処理のキーグループと、販売品目を指定する複数のキーグループとにグループ分けし、前記販売品目指定のグループは他の販売品目指定グループへの表示切替キーも含ませ、前記キーグループのそれぞれについて、属性情報として表示座標、サイズ、メンバーであるキーの識別とグループ内表示座標とキーの機能属性を保持するキーグループマスタ記憶と
キー表示域の構成を前記個別処理選択キーグループ、販売品目指定キーグループの内の所定のキーグループ、会計処理キーグループとする売り上げ処理の初期画面構成を含む画面マスタ記憶と、
売り上げ処理への切替指示で画面マスタ記憶より、個別処理選択キーグループ、所定の販売品目指定キーグループ、会計処理キーグループのキーグループ識別を初期画面構成として取得し、これらの属性情報をキーグループマスタ記憶より取得し、それに従ってキー表示域の表示を行い、操作されたキー座標を受け、表示中のキーグループ属性情報群を参照し操作されたキーのキーグループ、キー識別を判定し、そのキーの機能属性がキーグループ識別であれば、キーグループマスタ記憶より該当のキーグループ属性情報を取得し、それに従ってキー表示域の表示を更新する表示処理手段とを有することを特徴とするＰＯＳ装置。
【請求項１５】
前記キーグループマスタ記憶の販売品目指定のキーグループ同士では、属性情報の表示座標、サイズを互いに合わせておき、表示切替キーの機能属性情報を他の販売品目指定キーグループ識別とし、前記販売品目指定キーグループの表示切替キーが操作されると前記表示処理手段が、個別処理選択キーグループ、会計処理キーグループの表示を保持した状態で販売品目指定の表示ブロックのみを切り替えることを特徴とする請求項１４記載のＰＯＳ装置。
【請求項１６】
画面上のキーをタッチパネルを通じ選択し操作するＰＯＳ装置であって、
売上操作を行うための個々のキーを、値引き、返品を含む個別処理選択のキーグーループと、小計、会計を含む会計処理のキーグループと、販売品目を指定する複数のキーグループとにグループ分けし、前記販売品目指定のグループは他の販売品目指定グループへの表示切替キーも含ませ、前記キーグループのそれぞれについて、属性情報として表示座標、サイズ、メンバーであるキーの識別とグループ内表示座標とキーの機能属性を保持するキーグループマスタ記憶と
任意の一つ以上のキーグループを指定したキーグループセットをセット識別を付与し保持するキーグループセットマスタ記憶と、
キー表示域の構成を個別処理選択キーグループ、販売品目指定キーグループの内の所定のキーグループ、会計処理キーグループとする売り上げ処理の初期画面構成を含む画面マスタ記憶と、
売り上げ処理への切替指示で画面マスタ記憶より、個別処理選択キーグループ、所定の販売品目指定キーグループ、会計処理キーグループのキーグループ識別を初期画面構成として取得し、これらの属性情報をキーグループマスタ記憶より取得し、それに従ってキー表示域の表示を行い、操作されたキー座標を受け、表示中のキーグループ属性情報群を参照し操作されたキーのキーグループ、キー識別を判定し、そのキーの機能属性がキーグループ識別であれば、キーグループマスタ記憶より該当のキーグループ属性情報を取得し、それに従ってキー表示域の表示を更新し、そのキーの機能属性がキーグループセット識別であれば、キーグループセットマスタ記憶より対応するキーグループ識別を取得し、各キーグループ識別についてキーグループマスタ記憶よりキーグループ属性情報を取得し、これらに従ってキー表示域の表示を更新する表示処理手段とを有することを特徴とするＰＯＳ装置。
【請求項１７】
前記キーグループマスタ記憶において、販売品目指定のキーグループ及びこれらをメンバとする販売品目指定キーグループセットでは、セットメンバになっていないキーグループやセットメンバであり表示位置が最初のキーグループ間で、表示座標を互いに合わせ、前記セットメンバでないキーグループのサイズや前記セットメンバで合成されるサイズを互いに合わせ、販売品目指定キーグループの表示切替キーの機能属性情報を他の販売品目指定キーグループ、或いは販売品目指定キーグループセットとし、前記販売品目指定キーグループの表示切替キーが操作されると前記表示処理手段が、個別処理選択キーグループ、会計処理キーグループの表示を保持した状態で販売品目指定の表示ブロックのみを切り替えることを特徴とする請求項１６記載のＰＯＳ装置。
【発明の詳細な説明】
【０００１】
【発明の属する技術分野】
本発明は端末装置や情報処理装置で選択されるキー等を表示する操作画面の表示方式、表示プログラム及びそれらを用いたＰＯＳ装置に関し、特に操作に必要な個々のキーを機能種類別にグループ化し、更に同時に表示したいグループがキー表示域に収まる様にグループ化したキーグループに基づき表示処理する操作画面の表示方式、表示プログラム及びそれらを用いたＰＯＳ装置に関する。
【０００２】
【従来の技術】
従来より、タッチパネル入力により、操作画面上のキーを選択する装置がある。この種の装置の従来の操作画面をファストフードショップ向けＰＯＳ装置の売り上げ処理画面の例で説明する。
【０００３】
図１６は従来の操作画面の例で、ファストフードショップ向けＰＯＳ装置の売り上げ処理を行う操作画面を示した図である。図中の左側は売り上げ情報を表示する画面で、右側は商品を選択させ登録させ、全ての商品登録後に売り上げ指示する為のキーシート画面である。
【０００４】
ＰＯＳ装置のオペレータは顧客のオーダに従って、ハンバーガ、チーズバーガを順次登録し、次に顧客の指定したコーヒ等を登録する為ドリンクに関するキーを表示させるべく「ドリンク」キーをタッチパネルを通じ選択する。
【０００５】
これを受けたＰＯＳ装置の表示制御部はキーシート画面をこの画面単位で表示し直し、図１７に示す画面に更新する。
【０００６】
一方、タッチパネルによる操作画面を持つ商品販売登録データ処理装置で、商品登録画面として通常登録画面の商品カテゴリキーエリア、登録履歴表示エリア、スクロールキーに代えて、タッチされた商品カテゴリキー（ＰＬＵグループボタンＡ）の分類に基づくＰＬＵボタンＢを表示したＰＬＵボタン群を表示する技術が示されている（特許文献１参照。）。
【０００７】
【特許文献１】
特開２００１−２５６５５９号公報（図２、図５）
【０００８】
【発明が解決しようとする課題】
従って、前記図１６に示す従来例では、売り上げ処理の画面の一つに対し、売り上げ処理用に自ショップで扱うハンバーガ、ドリンク、ポテト等の商品カテゴリキーの他、小計、会計等の個々のキーをキー単位で設定している。
【０００９】
又、切り替わった図１７の画面についても、画面に対しコーラ、・・、ポタージュの各キーを配置し、ハンバーガー、ポテト、小計、会計の各キーをキー単位で改めて配置している。
【００１０】
従って、売り上げ処理の多数の画面についてキー単位の設定をしており設定作業が煩わしく、かなりの工数が掛かると言う問題がある。
【００１１】
又、カテゴリキー（ドリンクキー等）を選択する度に新たなキーシートを表示し直しており、表示変更領域が多く表示切替時間が長いと言う問題もある。
【００１２】
上記商品販売登録データ処理装置の技術ではＰＬＵに登録された商品のグループに対応したＰＬＵボタン群は示されているが、商品売り上げ処理で操作される全てのキー（会計、小計グループや値引きや返品等のグループも含めたキー）についてグループ定義し扱ってはいない。商品のグループであり、キーのグループではない。
【００１３】
又、この公報の図２の登録履歴エリアの表示は画面上に継続表示しておらず登録した商品を再確認する場合には前の画面に戻す操作が必要であるという問題もある。
【００１４】
【課題を解決するための手段】
本発明の第１の操作画面の表示方式は、端末装置や処理装置でタッチパネルを通じ選択されるキーを表示する操作画面の表示方式であって、操作に必要な個々のキーを機能種類別にグループ化し、キー全体がその機能種類に割り当てられる表示ブロックに収まらないグループがあれば、それを更に同種類の複数のグループに再分割し、同種類の他グループへの切替キーを追加し、再分割しない各グループ、前記再分割した各グループのそれぞれをキーグループとし、キーグループ毎に属性情報として表示座標、サイズと、メンバーである各キーについての表示データ、表示のグループ内座標、機能属性を保持するキーグループマスタ記憶と、キーグループ識別情報に従って、対応する属性情報をキーグループマスタ記憶より取得しキー表示域に表示する表示処理手段とを有することを特徴とする。
【００１５】
本発明の第２の操作画面の表示方式は、前記第１の操作画面の表示方式であって、前記キーグループマスタ記憶の他に、前記端末装置や処理装置の各処理モード画面について、キー表示域の初期の画面構成を前記キーグループ識別で定義した画面マスタ記憶も有し、前記表示処理手段が、画面切替指示の際に指定される画面識別で前記画面マスタ記憶より複数のキーグループ識別を取得し、これらの属性情報をキーグループマスタ記憶より取得し、これらに従ってキー表示域の表示情報を組み立て表示し、キーグループ属性情報群を表示中の情報に対応した情報として保持し、タッチパネル上の選択された座標情報より、前記属性情報群を用いキーグループ、キー識別を判定し、そのキーの機能属性がキーグループ識別であれば、キーグループマスタ記憶より該当するキーグループ属性情報を取得し、それに従ってキー表示域の表示を更新する手段とを有することを特徴とする。
【００１６】
本発明の第３の操作画面の表示方式は、前記第２の操作画面の表示方式であって、前記キーグループマスタ記憶において、機能が同種類のキーグループ同士では、属性情報の表示座標、サイズを互いに合わせ、各グループのキーグループ切り替えキーの機能属性情報を同種類の他キーグループの識別とし、前記表示処理手段が、各処理モードに於けるキー表示域の切替をキーグループ単位とすると共に、キー表示域の内、対応ブロックのみを同種類の別のキーグループに切り換えることを特徴とする。
【００１７】
本発明の第４の操作画面の表示方式は、前記第１、第２、又は第３の操作画面の表示方式であって、任意の一つ以上のキーグループを指定したキーグループのセットをセット識別を付与し保持するキーグループセットマスタ記憶も有し、前記キーの機能属性としてキーグループセット識別も設定可能とし、前記表示処理手段が、選択操作されたキーの機能属性がキーグループセット識別であれば、それでキーグループセットマスタ記憶を参照し、セットメンバーのキーグループ識別を取得し、これらの属性情報をキーグループマスタ記憶より取得し、それらによる表示の切り替えを行う手段も有することを特徴とする。
【００１８】
本発明の第５の操作画面の表示方式は、前記第４の操作画面の表示方式であって、前記キーグループマスタ記憶において、機能が同種類のキーグループ及びその種類のキーグループをメンバーとするキーグループセットでは、セットメンバになっていないキーグループやセットメンバであり表示位置が最初のキーグループ間で、表示座標を互いに合わせ、前記セットメンバでないキーグループのサイズや前記セットメンバで合成されるサイズを互いに合わせ、各グループのキーグループ切り替えキーの機能属性情報を同種類の他キーグループ或いは前記キーグループセットとし、前記表示処理手段が、キー表示域の表示切替で前記種類にアサインされた表示ブロックのみを同種類の別のキーグループ或いはこれらのセットに切り替えることを特徴とする。
【００１９】
本発明の第１の操作画面の表示プログラムは、タッチパネルを通じ選択されるキーを表示する操作画面の表示プログラムであって、操作に必要な個々のキーを機能種類別にグループ化し、キー全体がその機能種類に割り当てられる表示ブロックに収まらないグループがあれば、それを更に同種類の複数のグループに再分割し、同種類の他グループへの切替キーを追加し、再分割しない各グループ、前記再分割した各グループのそれぞれをキーグループとし、キーグループ毎に属性情報として表示座標、サイズと、メンバーである各キーについての表示データ、表示のグループ内座標、機能属性を保持するキーグループマスタ記憶より、キーグループ識別情報に従って、対応する属性情報を取得し画面のキー表示域に表示する表示処理手順を有することを特徴とする。
【００２０】
本発明の第２の操作画面の表示プログラムは、前記第１の操作画面の表示プログラムであって、前記表示処理手順が、各処理モード画面のキー表示域の初期構成を前記キーグループ識別で定義した画面マスタ記憶を、画面切替指示の際に指定される画面識別で索引し複数のキーグループ識別を取得する手順と、これらの属性情報をキーグループマスタ記憶より取得し、これらに従ってキー表示域の表示情報を組み立て表示し、前記取得したキーグループ属性情報群を表示中の情報に対応した情報として保持する手順と、タッチパネル上の選択された座標情報より、前記属性情報群を用いキーグループ、キー識別を判定し、そのキーの機能属性がキーグループ識別か判定する手順と、該判定がなされるとキーグループマスタ記憶より該当するキーグループ属性情報を取得し、それに従ってキー表示域の表示を更新する手順とを有することを特徴とする。
【００２１】
本発明の第３の操作画面の表示プログラムは、前記第１、又は第２の操作画面の表示プログラムであって、前記キーの機能属性として、任意の一つ以上のキーグループのセット情報に付与されたキーグループセット識別も設定可能とし、前記表示処理手順が、前記座標情報対応のキーグループ、キー識別を判定し、そのキーの機能属性が、キーグループのセットを定義したキーグループセット識別か判定する手順と、該判定がなされるとキーグループセット識別でキーグループセット記憶を参照し、セットメンバーのキーグループ識別を取得し、これらの属性情報をキーグループマスタ記憶より取得し、それらに従って表示の切り替えを行う手順も有することを特徴とする。
【００２２】
本発明の第１のＰＯＳ装置は、画面上のキーをタッチパネルを通じ選択し、操作するＰＯＳ装置であって、操作に必要な個々のキーを機能種類別にグループ化し、キー全体がその機能種類に割り当てられる表示ブロックに収まらないグループがあれば、それを更に同種類の複数のグループに再分割し、同種類の他グループへの切替キーを追加し、再分割しない各グループ、前記再分割した各グループのそれぞれをキーグループとし、キーグループ毎に属性情報として表示座標、サイズと、メンバーである各キーについての表示データ、表示のグループ内座標、機能属性を保持するキーグループマスタ記憶と、キーグループ識別情報に従って、対応する属性情報をキーグループマスタ記憶より取得しキー表示域に表示する表示処理手段とを有することを特徴とする。
【００２３】
本発明の第２のＰＯＳ装置は、前記第１のＰＯＳ装置であって、前記キーグループマスタ記憶の他に、ＰＯＳ装置の各処理モード画面について、キー表示域の初期の画面構成を前記キーグループ識別で定義した画面マスタ記憶も有し、前記表示処理手段が、画面切替指示の際に指定される画面識別で前記画面マスタ記憶より複数のキーグループ識別を取得し、これらの属性情報をキーグループマスタ記憶より取得し、これらに従ってキー表示域の表示情報を組み立て表示し、キーグループ属性情報群を表示中の情報に対応した情報として保持し、タッチパネル上の選択された座標情報より、前記属性情報群を用いキーグループ、キー識別を判定し、そのキーの機能属性がキーグループ識別であれば、キーグループマスタ記憶より該当するキーグループ属性情報を取得し、それに従ってキー表示域の表示を更新する手段とを有することを特徴とする。
【００２４】
本発明の第３のＰＯＳ装置は、前記第２のＰＯＳ装置であって、前記キーグループマスタ記憶において機能が同種類のキーグループ同士では、属性情報の表示座標、サイズを互いに合わせておき、各グループのキーグループ切り替えキーの機能属性情報を同種類の他キーグループの識別とし、前記表示処理手段が、各処理モードに於けるキー表示域の切替をキーグループ単位とすると共に、キー表示域の内、対応ブロックのみを同種類の別のキーグループに切り換えることを特徴とする。
【００２５】
本発明の第４のＰＯＳ装置は、前記第１、第２、又は第３のＰＯＳ装置であって、任意の一つ以上のキーグループを指定したキーグループセットをセット識別を付与し保持するキーグループセットマスタ記憶も有し、前記キーの機能属性としてキーグループセット識別も設定可能とし、前記表示処理手段が、選択操作されたキーの機能属性がキーグループセット識別であれば、それでキーグループセットマスタ記憶を参照し、セットメンバーのキーグループ識別を取得し、これらの属性情報をキーグループマスタ記憶より取得し、それらに従って表示の切り替えを行う手段も有することを特徴とする。
【００２６】
本発明の第５のＰＯＳ装置は、前記第４のＰＯＳ装置であって、前記キーグループマスタ記憶において、機能が同種類のキーグループ及びその種類のキーグループをメンバーとするキーグループセットでは、セットメンバになっていないキーグループやセットメンバであり表示位置が最初のキーグループ間で、表示座標を互いに合わせ、前記セットメンバでないキーグループのサイズや前記セットメンバで合成されるサイズを互いに合わせ、各グループのキーグループ切り替えキーの機能属性情報を同種類の他キーグループ或いは前記キーグループセットとし、前記表示処理手段が、キー表示域の表示切替で前記種類にアサインされた表示ブロックのみを同種類の別のキーグループ或いはこれらのセットに切り替えることを特徴とする。
【００２７】
本発明の第６のＰＯＳ装置は、画面上のキーをタッチパネルを通じ選択し操作するＰＯＳ装置であって、売上操作を行うための個々のキーを、値引き、返品を含む個別処理選択のキーグーループと、小計、会計を含む会計処理のキーグループと、販売品目を指定する複数のキーグループとにグループ分けし、前記販売品目指定のグループは他の販売品目指定グループへの表示切替キーも含ませ、前記キーグループのそれぞれについて、属性情報として表示座標、サイズ、メンバーであるキーの識別とグループ内表示座標とキーの機能属性を保持するキーグループマスタ記憶とキー表示域の構成を前記個別処理選択キーグループ、販売品目指定キーグループの内の所定のキーグループ、会計処理キーグループとする売り上げ処理の初期画面構成を含む画面マスタ記憶と、売り上げ処理への切替指示で画面マスタ記憶より、個別処理選択キーグループ、所定の販売品目指定キーグループ、会計処理キーグループのキーグループ識別を初期画面構成として取得し、これらの属性情報をキーグループマスタ記憶より取得し、それに従ってキー表示域の表示を行い、操作されたキー座標を受け、表示中のキーグループ属性情報群を参照し操作されたキーのキーグループ、キー識別を判定し、そのキーの機能属性がキーグループ識別であれば、キーグループマスタ記憶より該当のキーグループ属性情報を取得し、それに従ってキー表示域の表示を更新する表示処理手段とを有することを特徴とする。
【００２８】
本発明の第７のＰＯＳ装置は、前記第６のＰＯＳ装置であって、前記キーグループマスタ記憶の販売品目指定のキーグループ同士では、属性情報の表示座標、サイズを互いに合わせておき、表示切替キーの機能属性情報を他の販売品目指定キーグループ識別とし、前記販売品目指定キーグループの表示切替キーが操作されると前記表示処理手段が、個別処理選択キーグループ、会計処理キーグループの表示を保持した状態で販売品目指定の表示ブロックのみを切り替えることを特徴とする。
【００２９】
本発明の第８のＰＯＳ装置は、画面上のキーをタッチパネルを通じ選択し操作するＰＯＳ装置であって、売上操作を行うための個々のキーを、値引き、返品を含む個別処理選択のキーグーループと、小計、会計を含む会計処理のキーグループと、販売品目を指定する複数のキーグループとにグループ分けし、前記販売品目指定のグループは他の販売品目指定グループへの表示切替キーも含ませ、前記キーグループのそれぞれについて、属性情報として表示座標、サイズ、メンバーであるキーの識別とグループ内表示座標とキーの機能属性を保持するキーグループマスタ記憶と任意の一つ以上のキーグループを指定したキーグループセットをセット識別を付与し保持するキーグループセットマスタ記憶と、キー表示域の構成を個別処理選択キーグループ、販売品目指定キーグループの内の所定のキーグループ、会計処理キーグループとする売り上げ処理の初期画面構成を含む画面マスタ記憶と、売り上げ処理への切替指示で画面マスタ記憶より、個別処理選択キーグループ、所定の販売品目指定キーグループ、会計処理キーグループのキーグループ識別を初期画面構成として取得し、これらの属性情報をキーグループマスタ記憶より取得し、それに従ってキー表示域の表示を行い、操作されたキー座標を受け、表示中のキーグループ属性情報群を参照し操作されたキーのキーグループ、キー識別を判定し、そのキーの機能属性がキーグループ識別であれば、キーグループマスタ記憶より該当のキーグループ属性情報を取得し、それに従ってキー表示域の表示を更新し、そのキーの機能属性がキーグループセット識別であれば、キーグループセットマスタ記憶より対応するキーグループ識別を取得し、各キーグループ識別についてキーグループマスタ記憶よりキーグループ属性情報を取得し、これらに従ってキー表示域の表示を更新する表示処理手段とを有することを特徴とする。
【００３０】
本発明の第９のＰＯＳ装置は、前記第８のＰＯＳ装置であって、前記キーグループマスタ記憶において、販売品目指定のキーグループ及びこれらをメンバとする販売品目指定キーグループセットでは、セットメンバになっていないキーグループやセットメンバであり表示位置が最初のキーグループ間で、表示座標を互いに合わせ、前記セットメンバでないキーグループのサイズや前記セットメンバで合成されるサイズを互いに合わせ、販売品目指定キーグループの表示切替キーの機能属性情報を他の販売品目指定キーグループ、或いは販売品目指定キーグループセットとし、前記販売品目指定キーグループの表示切替キーが操作されると前記表示処理手段が、個別処理選択キーグループ、会計処理キーグループの表示を保持した状態で販売品目指定の表示ブロックのみを切り替えることを特徴とする。
【００３１】
【発明の実施の形態】
次に、本発明の実施の形態について図面を参照して詳細に説明する。図１は本発明のＰＯＳ（Ｐｏｉｎｔ  Ｏｆ  Ｓａｌｅ）装置の全体構成を示した図である。
【００３２】
本発明のＰＯＳ装置は、タッチパネルを通じて画面上のキーを選択し、操作するＰＯＳ装置であり、メインメモリ１、ＣＰＵ２、メモリＩ／Ｏコントローラ３、オペレータディスプレイ４、ＬＣＤコントローラ５１、グラフィックコントローラ５２を含む。
【００３３】
メモリＩ／Ｏコントローラ３には補助記憶装置としてのＣＦＤ／ＨＤＤ（コンパクトフラッシュ（登録商標）ディスク／ハードディスクドライブ）８、ＬＡＮコントローラ９２、バス３１が接続されている。
【００３４】
バス３１にはタッチパネルコントローラ６１、カスタマディスプレイコントローラ７１、プリンタ９１が接続されている。タッチパネルコントローラ６１、カスタマディスプレイコントローラ７１にはそれぞれタッチパネル６２、カスタマディスプレイ（顧客用ディスプレイ）７２が接続されている。
【００３５】
バス３１には更に、キャッシュドロワ９２の制御インタフェースを含み、又必要に応じバーコードスキャナ９３やカードリーダ９４が接続される。
【００３６】
メモリＩ／Ｏコントローラ３は、ＣＰＵ２、グラフィックコントローラ５２、内部のＩ／Ｏコントローラやバス制御部からのメインメモリ１へのアクセスを制御し、又ＣＦＤ／ＨＤＤ８のＩ／Ｏ制御を行い、バス３１も制御する。
【００３７】
オペレータディスプレイ４は操作画面を表示するＬＣＤ等のディスプレイで、タッチパネル６２はこの画面に近接して設けられ、オペレータが操作画面に表示されたキーを選択する為に使用される。
【００３８】
ＣＦＤ／ＨＤＤ８にはＣＰＵ２を動作させるＯＳや各モード処理手段１１、表示処理手段１２の他に画面マスタ記憶１５、キーグループマスタ記憶１６、キーグループセットマスタ記憶１７、ＰＬＵ（Ｐｒｉｃｅ  Ｌｏｏｋ  Ｕｐ）マスタ記憶１３を含む。
【００３９】
カスタマディスプレイ７２は、顧客がオーダした販売品目に対しオペレータが売り上げ登録等の操作を行うと、販売品目名と価格を表示し、又値引きと其の金額、小計金額や合計金額等を顧客向けに表示する。
【００４０】
プリンタ９１は販売品目等の売り上げ処理を行った際のレシート等を印刷するプリンタである。
【００４１】
メインメモリ１はＤＲＡＭ等で構成され、これにはＰＯＳ装置の立ち上げ処理で、ＣＦＤ／ＨＤＤ８よりＯＳや各モードの処理手段１１、表示処理手段１２、画面マスタ記憶１５、キーグループマスタ記憶１６、キーグループセット記憶１７、ＰＬＵマスタ記憶１３の情報がロードされる。
【００４２】
ＬＡＮコントローラ９２はＰＯＳ装置とサーバ等のホスト装置とのＬＡＮ通信を行う。ホスト装置からは例えば営業開始前に最新のＰＬＵマスタ情報、或いはＰＬＵ更新内容情報が送られ、ＰＯＳ装置が自分のＰＬＵマスタ記憶１３を更新する。
【００４３】
又、キーグループマスタ記憶１６、キーグループセットマスタ記憶１７も変更が必要な場合、ホスト装置から最新の情報や、更新内容が送られてくるのでＰＯＳ装置が対応情報を更新する。
【００４４】
次に本発明の特徴であるキーグループの例について図２、３を参照し説明する。図２は一例としてＰＯＳ装置のファストフードショップの売り上げ処理に必要な個々のキーを機能種類別にグループ化した結果と、これらの機能種類別グループの同時表示が望まれることを示した図である。
【００４５】
「単品値引」は或る商品を登録した際に其の商品が値引き対象であればマイナス額を指定する前に選択するキーであり、「小計値引」は売り上げ商品の小計額に対する値引きを行う際にマイナス額を指定する前に選択するキーであり、「返品」は登録されたが返品となった商品を指定する前に操作するキーである。
【００４６】
「訂正」は誤って登録した商品名等を訂正する為のキーで、「客数」は商品を購入した客数をカウントしたい場合に売り上げ操作の最初か最後に操作するキーであり、「両替」は「会計」キーの操作とは無関係にＰＯＳ装置のキャッシュドロワ９２を開放したい時に操作するキーである。
【００４７】
これらのキーは、売上に関連して指定する個別処理という機能のグループであり、毎回ではないが或る程度の頻度で商品登録の前後に操作する機能グループである。
【００４８】
「ハンバーガー」、「チーズバーガ」、・・、「おさつチップ」の各キーは商品指定の機能グループである。
【００４９】
「小計」キーはある顧客に売った商品を全て登録した後に小計額を算出し表示させる為のキーで、「会計」キーは小計額に消費税額を加算した合計を表示し、キャッシュドロワ９２を開放させるキーであり、これらのキーは会計処理グループである。
【００５０】
個別処理指定のグループ、商品指定のグループ、会計処理指定のグループのキーは相前後して操作するのでこれらのグループをキーシート（キー表示域）に同時に表示する必要がある。しかしキーシートのサイズは画面サイズより限られたサイズであり、各グループの全てのキーを同時表示出来ないので、グループ全体のキーがその機能グループに割り当てできる表示ブロックに収まらない商品指定グループを同種類の複数のグループに再分割する。
【００５１】
即ち、キーシートを均等に３分割したブロックＡ、Ｂ、Ｃを個別処理指定グループ、商品指定グループ、会計処理指定グループに割り当てる。個別処理指定、会計処理指定の各グループは、割り当てブロックに収まり、会計処理グループは余剰スペースが生じる。
【００５２】
商品指定グループは前記余剰スペースを含めてもブロックに収まらず、グループ全体のキーが割り当てられる表示ブロックに収まらないグループであり、再分割する。
【００５３】
図３は、商品指定グループのキーの再分割を示した図である。商品指定グループのキーをバーガ商品指定、ドリンク商品指定、サイド商品指定のグループに再分割し、各グループに同種類の他グループへの切替キーを追加する。
【００５４】
即ち、バーガ商品指定グループ、ドリンク商品指定グループ、サイド商品指定グループのそれぞれに「ドリンク」「サイドメニュウ」、「サイドメニュウ」「バーガメニュウ」、「バーガメニュウ」「ドリンク」キーを追加する。
【００５５】
又、会計処理グループには売り上げ処理モードから、他の処理モードに切り替えるキー（処理モード選択画面を呼び出すキー或いは隣接の処理モードに切り替えるキー）を追加する。
【００５６】
他の処理モードとは、ログイン処理、出退勤登録処理（ショップの店員の出勤、退勤時刻の登録処理）、売り上げ集計処理（ディリーの商品毎の売り上げ額、総額、客数等の集計）等である。
【００５７】
そして、個別処理指定グループ、切替キー追加後のバーガ商品指定グループ、ドリンク商品指定グループ、サイド商品指定グループ、会計処理指定グループに、キーグループ＃１、＃３、＃４、＃５、＃２の識別を付与する。
【００５８】
尚、商品指定グループを下位グループに再分割する例を示したが、図２の商品指定グループはそのまま表示し、個別処理指定のグループを「単品値引」「小計値引」「訂正」の下位グループと、「返品」「客数」「両替」の下位グループに分け、それぞれに下記グループ間の切替キーを追加し、これらの各下位グループ、商品指定グループ、会計処理グループをそれぞれキーグループとする例もある。
【００５９】
次に、図４、５を参照し、ＰＯＳ装置の売り上げ処理画面について説明する。キーグループマスタの情報は前記の最初の例とする。
【００６０】
画面マスタ記憶には売り上げ処理モード対応の画面情報として、売上明細表示を行うアクティブウィンドウ４１とキーシート（キー表示域）４２が定義され、キーシート４２の構成としてキーグループ＃１、キーグループ＃２、キーグループ＃３が定義されている。
【００６１】
売上処理の初期では図４に示すキーシートの表示がされる。オペレータが「ハンバーガ」を指定すると、キーグループ＃３のハンバーガキーの機能属性情報に従って、ＰＬＵマスタ記憶１３のハンバーガ情報を取得し、この商品名と金額１００円が登録されアクティブウィンドウ４１に表示される。
【００６２】
オペレータが「チーズバーガ」を指定すると、同様に処理される。次にドリンクを指定すると、キーグループ＃３のドリンクキーの機能属性情報が取得され、これがキーグループ＃４である為、キーグループマスタ情報よりキーグループ＃４の属性情報を取得しこれに従って、ブロック４２２のみが図５に示すキーグループ＃４の表示に切り替わる。
【００６３】
又、表示中のキーグループ属性情報群１２６においてもキーグループ＃３の属性情報がキーグループ＃４の属性情報に代わる。
【００６４】
オペレータが「コーヒ」を指定すると、キーグループ＃４のコーヒキーの機能属性情報に従って、ＰＬＵマスタ情報のコーヒ情報を取得し、この商品名と金額２００円が登録されアクティブウィンドウ４１に表示される。
【００６５】
次に、図６、７を参照し、キーグループマスタ記憶１６の構成を説明する。図６はキーグループマスタの構成を示した図であり、キーグループマスタはｎ個のキーグループ属性情報の集合体である。
【００６６】
各キーグループの属性情報は、グループ属性として、名称、Ｘ座標、Ｙ座標、幅、高さを含む。Ｘ座標、Ｙ座標はグループの表示域（或いは枠）の基準点（例えば左上の頂点）の画面上の横方向、縦方向の座標である。幅、高さはグループの表示域（或いは枠）の幅、高さである。ここで画面の原点は左上の頂点とする。
【００６７】
又、グループのメンバである各キーの属性として、表示データ、表示属性、ｘ座標、ｙ座標、リンク先属性、リンク先番号をキー毎に持つ。表示データは表示する文字やグラフィックコードであり、表示属性はフォント指定等でありディフォルト指定も可能である。ｘ座標、ｙ座標はグループ表示域におけるキーの配置位置である。
【００６８】
リンク先属性、リンク先番号は、キーの機能属性であり、そのキーが指定された場合のアクセス先のテーブルとテーブル内番号を指定すると共にそれを取得後の処理も指定する。
【００６９】
図７はキーグループ＃３とこれの「ドリンク」キーにより呼び出されるキーグループ＃４の属性情報内容を示した図である。
【００７０】
「ドリンク」キーの属性情報のリンク先属性がキーグループ（キーグループマスタ）であり、リンク先番号が４であるので、キーグループマスタよりキーグループ＃４の属性情報を取得し、これを表示する。ここでキーグループ＃３と＃４のグループ属性の各座標とサイズが合わせてあるのでキーグループ＃３を表示していたブロック４２２がキーグループ＃４の表示に切り替わる。
【００７１】
キーグループ＃４の「コーヒ」キーの属性情報のリンク先属性がＰＬＵ（ＰＬＵマスタ）であり、リンク先番号が２３４であるのでＰＬＵマスタ記憶１３のコード２３４の情報を取得し、コーヒ、２００円と言う商品名、価格情報を得て、売上に登録し、アクティブウィンドウ４１に表示する。
【００７２】
図８（１）はＰＬＵマスタ記憶１３の構成を示した図であり、ＰＬＵの各情報はＰＬＵコード、名称（商品名やサービス等の名称）、単価を保持している。図８（２）にＰＬＵの具体例を示す。最初の情報はＰＬＵコード１２３の商品の名称はコーラであり、単価は１５０円であることを示している。
【００７３】
次に本ＰＯＳ装置を、前記ファストフードショップとは同系列であるが商品メニューが相違する別のフードショップで使用する場合のキーグループ等の設定例を説明する。
【００７４】
このショップではドリンクとしてコーラ、コーヒの他に店独自商品としてアルコール飲料も扱っているが、これに対応するキーグループ等の設定の追加ないし変更は極力簡単にしたいというニーズがある。
【００７５】
この様な場合にキーグループのセットの定義を保持するキーグループセットマスタ記憶１７も使用する。
【００７６】
図９を参照し、キーグループセットマスタ記憶１７には１番目の情報として「ドリンク」というセットの名称が付与され、キーグループ＃４とキーグループ＃６の組み合わせであることを示している。
【００７７】
又、キーグループ＃３の「ドリンク」キーのリンク先属性、リンク先番号をキーグループセット、１とする。
【００７８】
図１０を参照し、キーグループ＃６を「アルコール」として、そのメンバーキーを「ビール」、「ワイン」、「発泡酒」とする。
【００７９】
これらの設定をしておけば、図４の「ドリンク」キーをタッチすれば、キーシト４２のブロック４２２が図１１に示すブロック４２２の表示に切り替わる。
【００８０】
又、同じショップで季節限定で販売する商品の為の設定変更にも容易に対応できる。
【００８１】
例えば、前記の前記ファストフードショップでドリンクとしてアイスコーヒ、アイスウーロン、シェイクを春夏のみ販売する場合には、キーグループ＃６を「ドリンク（春夏）」として、そのメンバーキーを「アイスコーヒ」、「アイスウーロン」、「シェイク」として定義しておけば、毎年キーグループ＃３の「ドリンク」キーのリンク先属性、リンク先番号を変更することで対応できる。
【００８２】
図１２はＰＯＳ装置のオペレータディスプレイ４の表示処理に関係する手段を示したブロック図である。
【００８３】
各モード処理手段１１は、ログイン処理手段１１１、出退勤処理手段１１２、・・、売上処理手段１１４を含む。ログイン処理手段１１１は、オペレータがＰＯＳ装置を使い始める際に、操作画面（オペレータディスプレイ４とタッチパネル６２）を通じオペレータ名やパスワードを入力させ、以降の操作を許可する為の処理手段で、出退勤登録処理手段１１２は操作画面を通じショップの店員の出勤、退勤時刻の登録を行う手段である。
【００８４】
売上処理手段１１４は顧客に売った個々の商品の売上登録をし、小計を表示後消費税を加算し合計額を表示しレシートを発行する手段である。
【００８５】
表示処理手段１２は操作キー属性取得手段１２１と表示切替処理手段１２３とアクティブウィンドウ等更新処理手段１２４と表示中キーグループ属性情報群１２６を含む。
【００８６】
ＰＬＵマスタ記憶１３、画面マスタ記憶１５、キーグループマスタ記憶１６、キーグループセットマスタ記憶１７はＣＦＤ／ＨＤＤ８のこれらの情報を、メインメモリ１或いはＣＰＵ２のキャッシュメモリにロードしてから使う。
【００８７】
尚、各モード処理手段１１はメインメモリ１等にロードされ、ＰＯＳ装置のＯＳの配下で動作するアプリケーションプログラムで実現され、表示処理手段１２もプログラムで実現され、操作キー属性取得手段１２１と表示切替処理手段１２３とアクティブウィンドウ等更新処理手段１２４はそれぞれプログラム手順で実現されメインメモリ１等にロードされる。
【００８８】
次に、本発明の動作について図面を参照して説明する。図１３はＰＯＳ装置で売上処理モード画面への切り替操作がされた場合の表示処理を示したフローチャートである。
【００８９】
図１３を参照し、オペレータがモード切替画面で売上処理選択キーを指定すると（ステップＡ１）、操作キー属性取得手段１２１はタッチパネルコントローラ６１よりキータッチイベント、座標を受け、表示中キーグループ属性情報群１２６で座標（キーグループのＸ、Ｙ各座標にキーのグループ内各座標を加算した座標）が受けた座標に近似するキーを売上処理選択キーと判定し、そのリンク先属性、番号を取得する（ステップＡ２）。
【００９０】
リンク先属性による処理切り分け（ステップＡ３）で、これが画面マスタ記憶であるのでこれらの情報を表示切替処理手段１２３に渡す（ステップＡ４）。
【００９１】
表示切替処理手段１２３は画面マスタ記憶１５の番号対応エントリよりキーグループ番号を取得し、属性情報をキーグループマスタ記憶１６より取得しこれの表示を指示し、又表示中キーグループ属性情報群１２６を順次これに更新する（ステップＡ５）。
【００９２】
前記エントリの全キーグループ番号（＃１、＃２、＃３）について処理し（ステップＡ６）、図４のアクティブウィンドウ４１（ウィンドウのみ）とキーシート４２の各キー情報を表示する。
【００９３】
次に図１４のフローチャートを参照し売上処理における表示処理を説明する。尚、キーグループ＃３の内容は最初のファストフードショップの内容とする。
【００９４】
オペレータがハンバーガキーを指定する（ステップＢ１）。操作キー属性取得手段１２１は、キータッチイベント、座標を受け、表示中キーグループ属性情報群１２６の内座標が対応するキー（ハンバーガキー）の属性を取得する（ステップＢ２）。
【００９５】
このリンク先属性はＰＬＵにつき（ステップＢ３）、リンク先属性（ＰＬＵ）、番号（ＰＬＵコード：０１２）を各モード処理手段１１の売上処理手段１１４へ渡す（ステップＢ４）。
【００９６】
売上処理手段１１４がＰＬＵマスタ記憶１３より商品名、価格を取得し売上げ登録し、登録した情報のアクティブウィンドウ４１への追加をアクティブウィンドウ等更新処理手段１２４を通じ表示ドライバーに指示する（ステップＢ５）。登録した売上情報がアクティブウィンドウ４１に表示される（ステップＢ６）。
【００９７】
オペレータがドリンクキーを指定（ステップＢ７）し、操作キー属性取得手段１２１は、キータッチイベント、座標を受け、表示中キーグループ属性情報群の内座標が対応するキー（ドリンクキー）の属性を取得し（ステップＢ２）、このリンク先属性がキーグループにつき（ステップＢ３）、リンク先属性（キーグループ）、番号（＃４）を表示切替処理手段１２３へ渡す（ステップＢ８）。
【００９８】
表示切替処理手段１２３がキーグループマスタ記憶１６よりキーグループ＃４の属性情報を取得し、これによる表示を指示し、表示中キーグループ属性情報群１２６の部分更新をする（ステップＢ９）。
【００９９】
キーシートのブロック４２２の表示が図５の表示に切り替わる（ステップＢ１０）。
【０１００】
ここで、ファーストフードの売上げ処理の例で人間（オペレータ）の思考を考察してみる。オペレータの最初の思考として、「ハンバーガー類」「ドリンク類」「サイドメニュウ類」「その他売上げ類」「会計処理類」等を呼び出すことが考えられる。
【０１０１】
その後の思考としてハンバーガーの何々（チーズバーガー等）、ドリンクの何々（コーラ等）、サイドメニューの何々（ポテトスティック、チップ等）の様にその内部の機能（個別のメニュー）を考えていく。
【０１０２】
即ち、捉えやすい纏まり（グループ）で処理を構成していければ非常に分かり易いことは明白である。
【０１０３】
このことから本発明は人間の思考に沿った形で操作画面を展開出来ると言える。
【０１０４】
次に図１５のフロチャートを参照し、キーグループ＃３の内容を前記別のフードショップにおける内容とした場合の売上処理における表示処理を説明する。ハンバーガキーを指定した際の処理動作ステップＣ１〜Ｃ６は前記ステップＢ１〜Ｂ６と同様である。
【０１０５】
オペレータはドリンクキーを指定し（ステップＣ７）、操作キー属性取得手段１２１は、キータッチイベント、座標を受け、表示中キーグループ属性情報群１２６の内座標が対応するキー（ドリンクキー）の属性を取得する（ステップＣ２）。
【０１０６】
このリンク先属性はキーグループセットにつき（ステップＣ３）、リンク先属性（キーグループセット）、番号（＃１）を表示切替処理手段１２３へ渡す（ステップＣ８）。
【０１０７】
表示切替処理手段１２３がキーグループセットマスタ記憶１７の＃１よりキーグループ番号（＃４、＃６を）取得し、キーグループマスタ記憶１６よりキーグループ＃４、＃６の属性を取得し、これらによる表示を表示ドライバに指示する。
【０１０８】
又、表示中キーグループ属性情報群１２６をキーグループ＃４、＃６の属性情報に更新する（ステップＣ９）。
【０１０９】
キーシート４２のブロック４２２の表示が図１１の表示に切り替わる（ステップＣ１０）。
【０１１０】
以上のＰＯＳ装置の実施形態の説明では、フードショップの例とし販売品目をハンバーガー、・・、おさつチップ等の商品としたが、販売品目を商品に限定するものでなく販売するサービスの品目であってもよい。
【０１１１】
以上の実施形態の説明では、画面上のキーをタッチパネルを通じ選択し、操作するＰＯＳ装置の例で説明したが、本発明の操作画面の表示方式は、画面上のキーをタッチパネルを通じ選択し、操作する端末装置、携帯端末、情報処理装置等においても同様のキーグループ定義をしたキーグループマスタ記憶、画面マスタ記憶を持たせ、操作キー属性取得手段（或いは操作キー属性取得手順）、表示切替処理手段（或いは表示切替処理手順）を持たせることで適用できる。
【０１１２】
【発明の効果】
以上説明した様に、本発明によればキーグループ単位で表示を更新できるため、表示変更を行なう部分を少なくでき、表示変更に要する時間を短縮できる。
又、キーを機能種類でグループ化し、各モードの処理で必要なグループを同時に表示し、一度で表示しきれない種類グループでは更に下位の分類を行ったキーグループを同じ表示ブロックに切替表示しており、人間（オペレータ）の思考にマッチして分かり易く操作性も良い。
【０１１３】
又、キーグループをキーシート表示の構成単位としている為、画面構成がシンプルにできる。
【０１１４】
更に、キーシートの全体、或いはブロックの表示切替制御を表示処理手段（手順）がキーグループマスタ、画面マスタのキーグループ属性情報に従って行うので、各処理モード用の処理手順（アプリケーションプログラム）を変更せずに、キーグループの定義で様々なバリエーションのキー構成を容易に実現できる。
【０１１５】
又、この設定（キーグループ定義）作業での間違いや訂正が容易である。即ち、従来はキーに対しての次の画面を構成するキーを全て考えて（設定して）いくと、処理に対しての間違いや変更を行うときに全ての処理を確認していかなくてはいけないが、グループにキーを纏めておけばこのグループのキーを訂正するだけで全てが修正される。それにより、そのグループを呼び出している箇所が自動的に訂正される。
【０１１６】
キーグループセットマスタ記憶により、複数のキーグループを表示することが可能となるので、画面展開／構成を店の運用に適した形にし易くなる。
【０１１７】
従って、多くの業態の店において、この機能を用いた運用が可能となり、キーグループと組み合わせることにより、一つのＰＯＳ装置、端末装置、情報処理装置等を多業種で使用することが可能となる。
【０１１８】
ここでコアとなる共通のキーグループマスタ記憶、キーグループセットマスタ記憶に対して業態やショップによる相違部分のキーグループやキーグループセットのみ変更する様にすれば業態、ショップに対応した操作画面設定作業がより容易にできる。
【図面の簡単な説明】
【図１】本発明のＰＯＳ装置の全体構成を示した図である。
【図２】本発明の特徴のキーグループについてファストフードショップの売上処理のキーの例で説明した図。
【図３】図２の内の商品指定グループのキーの再分割グループを示した図。
【図４】本発明のＰＯＳ装置の売り上げ処理の初期画面を示した図。
【図５】図４のドリンクキー選択で切り替えられた画面を示した図。
【図６】本発明のキーグループマスタ記憶１６の構成を説明した図。
【図７】キーグループマスタ記憶１６のキーグループ＃３、＃４の属性情報内容を示した図。
【図８】（１）はＰＬＵマスタ記憶１３の構成を示した図で、（２）はＰＬＵの具体例を示した図。
【図９】本発明のＰＯＳ装置の別の設定におけるキーグループセットマスタ記憶１７の例とキーグループマスタ記憶１６のキーグループ＃３の属性情報の相違部分を示した図。
【図１０】本発明のＰＯＳ装置の別の設定におけるキーグループマスタ記憶１６のキーグループ＃６の属性情報を示した図。
【図１１】本発明のＰＯＳ装置の別の設定における図４の「ドリンク」キー選択で切り替えられた画面を示した図。
【図１２】本発明のＰＯＳ装置のオペレータディスプレイ４の表示処理に関係する手段を示したブロック図。
【図１３】本発明のＰＯＳ装置の売上処理モード画面への切り替操作がされた場合の処理を示したフローチャート。
【図１４】本発明のＰＯＳ装置の売上処理における表示処理を説明したフローチャート。
【図１５】本発明のＰＯＳ装置で別の設定をした場合の売上処理における表示処理を説明したフローチャート。
【図１６】従来の操作画面で、ファストフードショップ向けＰＯＳ装置の売り上げ処理の操作画面を示した図。
【図１７】従来の操作画面で、ファストフードショップ向けＰＯＳ装置の売り上げ処理の切替後の操作画面を示した図。
【符号の説明】
１    メインメモリ
１１    各モード処理手段
１１１    ログイン処理手段
１１２    出退勤処理手段
１１４    売上処理手段
１２    表示処理手段
１２１    操作キー属性取得手段
１２３    表示切替処理手段
１２４    アクティブウィンドウ等更新処理手段
１２６    表示中キーグループ属性情報群
１３    ＰＬＵマスタ記憶
１５    画面マスタ記憶
１６    キーグループマスタ記憶
１７    キーグループセットマスタ記憶
２    ＣＰＵ
３    メモリＩ／Ｏコントローラ
３１    バス
４    オペレータディスプレイ
４１    アクティブウィンドウ
４２    キーシート
５１    ＬＣＤコントローラ
５２    グラフィックコントローラ
６１    タッチパネルコントローラ
６２    タッチパネル
７１    カスタマディスプレイコントローラ
７２    カスタマディスプレイ
８    ＣＦＤ／ＨＤＤ
９１    プリンタ
９２    ＬＡＮコントローラ
９２    キャッシュドロワ
９３    バーコードスキャナ
９４    カードリーダ
【図１】
2004206368.tif 000003
【図２】
2004206368.tif 000004
【図３】
2004206368.tif 000005
【図４】
2004206368.tif 000006
【図５】
2004206368.tif 000007
【図６】
2004206368.tif 000008
【図７】
2004206368.tif 000009
【図８】
2004206368.tif 000010
【図９】
2004206368.tif 000011
【図１０】
2004206368.tif 000012
【図１１】
2004206368.tif 000013
【図１２】
2004206368.tif 000014
【図１３】
2004206368.tif 000015
【図１４】
2004206368.tif 000016
【図１５】
2004206368.tif 000017
【図１６】
2004206368.tif 000018
【図１７】
2004206368.tif 000019